【事件の表示】
　特許第２９６１９１７号「パチンコ機」の請求項１ないし２に係る特許に対する特許異議の申立てについて、次のとおり決定する。
【結　論】
　特許第２９６１９１７号の請求項１、２に係る特許を維持する。
【理　由】
一、手続の経緯
　本件特許第２９６１９１７号に係る発明についての出願は、平成３年２月１８日に出願された特願平３−４６０９０号の特許出願であり、平成１１年８月６日にその発明について特許の設定登録がなされた後、その特許について、特許異議申立人河井清悦（以下、「申立人」という。）より特許異議の申立てがなされたものである。
　
二、本件発明
　本件の請求項１及び請求項２に係る発明は、特許明細書の特許請求の範囲の請求項１及び請求項２に記載された次の事項により特定されたとおりのものである。
　「【請求項１】大当り遊技状態となったときに変動入賞装置を所定の態様で開放し、その開放中に変動入賞装置内に形成される通常入賞口と継続入賞口のうち継続入賞口に入賞玉が入賞したことに基づいて変動入賞装置の次回の開放が留保される継続権を成立させるパチンコ機において、前記変動入賞装置には、該変動入賞装置を開放するための駆動手段と、該駆動手段とは別の単一の電気的駆動手段と、該電気的駆動手段によって駆動され且つ前記通常入賞口を開放したままの状態で前記継続入賞口への入賞玉の入賞を阻止する第１の状態と阻止しない第２の状態とに変化する閉塞部材と、を設け、該閉塞部材が、前記変動入賞装置の開放後の継続入賞口への最初の入賞玉の入賞に基づいて前記第１の状態に駆動され、前記変動入賞装置の開放終了後に前記第２の状態に駆動されるように、前記電気的駆動手段を駆動する駆動制御手段を設けたことを特徴とするパチンコ機。」（以下、「本件発明１」という。）
　「【請求項２】前記駆動手段及び電気的駆動手段は、前記変動入賞装置に固定されていることを特徴とする請求項１記載のパチンコ機。」（以下、「本件発明２」という。）
　
三、特許異議の申立て
１．申立ての理由の概要
　申立人は、下記の証拠方法を提示して、本件発明１及び本件発明２は、本件出願前に頒布された刊行物である下記甲第１号証ないし同甲第７号証に記載された発明に基いて当業者が容易に発明をすることができたものであるから、本件発明１及び本件発明２に係る特許は特許法第２９条第２項の規定に違反してされたものであるので、本件特許は取り消されるべきものである旨を主張している。
                   　　　　　　　 記
［甲第１号証］：特開昭５８−１１６３７６号公報
［甲第２号証］：特開昭６４−４９５９０号公報
［甲第３号証］：特開昭６３−２４９５９３号公報
［甲第４号証］：特開昭６１−２７２０７４号公報
［甲第５号証］：実願昭６２−１１０６５０号（実開昭６４−１９４８３号）の願書に添付した明細書及び図面の内容を撮影したマイクロフィルム
［甲第６号証］：実願昭６２−８８９２５号（実開昭６３−１９７５７９号）の願書に添付した明細書及び図面の内容を撮影したマイクロフィルム
［甲第７号証］：特開平２−４９６７７号公報
　
２．甲第１号証ないし甲第７号証の記載事項
［甲第１号証］には、パチンコ遊技機に関し次の事項が記載されている。
　「また、遊技盤１のほぼ中央部には、可変入賞球・可変表示装置３０が配置される。可変入賞球・可変表示装置３０は、後述の第３Ａ図ないし第５図に示す可変入賞球装置４０および可変表示装置５０を前面枠部材３１に一体的に装着して構成される。可変表示装置５０は、機械的可変表示部材の一例の回転ドラム表示機構５０ａおよび電気的可変表示部材の一例のセグメント表示器５０Ｂを含んで構成される。そして、可変表示装置５０は、入賞領域３ａ〜３ｃへの入賞玉に応じて回転ドラム表示機構５０Ａおよびセグメント表示器５０Ｂの可変表示を開始し、遊技者の停止指令操作または可変表示開始から一定時間後において、可変表示を停止する。このときの回転ドラム表示機構５０Ａの表示状態とセグメント表示器５０Ｂの表示状態との組合わせが所定の状態になったとき、可変入賞球装置４０を開成駆動できるように定められた特定遊技状態になったことが判断される。」（３頁左上欄１１行〜右上欄８行）
　「また、遊技盤１の可変入賞球・可変表示装置３０を形成した位置よりも下方には、この実施例の特徴となる特賞状態表示手段に含まれる表示窓６が形成される。この表示窓６は、特定遊技状態に基づいて可変入賞球装置４０が入賞しやすい状態に変化しているとき、その期間において入賞玉のあることに応じて、繰り返して可変入賞球装置４０を入賞しやすい状態に開成できる条件に定められた特賞領域へ入賞した玉のあることを表示するものである。具体的には、表示窓６は、特賞領域へ入賞した玉が遊技盤１の裏面で貯留される位置に対応する位置に設けられ、その玉を遊技盤前面から視認または透視できるような透明材料で貯留部の前面を覆うように形成される。」（３頁右上欄１５行〜左下欄８行）
　「第４図は可変入賞球・可変表示装置３０の各部の分解斜視図である。」（４頁左上欄１６行〜１７行）
　「前記可変入賞球装置４０は、遊技者にとって有利になる第１の状態として開閉板４１を前面へ開いて玉を受入れ、遊技者にとって不利になる第２の状態の一例として開閉板４１を閉じて玉の受入れを不可能にするものである。より具体的に説明すると、開口部３２に関連して可変入賞球装置４０が設けられる。可変入賞球装置４０は枠部材４２の前面（すなわち開口部３２に関連する部分）に開閉板４１を回動自在に装着する。すなわち、開閉板４１の両側には、三角形の側壁４１１、４１２が形成される。側壁４１１，４１２には軸４１３，４１４が形成され、この軸４１３，４１４が枠部材４２の側面部分の溝４２１，４２２で回動自在に支持される。開閉板４１が開成した場合における開口部３２は、玉の入賞可能な入賞領域４３となる。入賞領域４３は、横方向に複数の入賞領域４３ａ〜４３ｃに分けられる。入賞領域４３ａは、特定遊技状態において開閉板４１の開成中に入賞した玉によって再度開閉板４１を開いて可変入賞球装置４０を入賞し易い状態にできるような条件の定められた特賞領域となる。その目的で、特賞領域４３ａへの入賞した玉はその裏面へ導かれ、下方に設けられた特賞玉検出スイッチ４４で検出される。前記開閉板４１に関連して、開閉駆動機構４５が設けられる。開閉駆動機構４５は、ソレノイド４５１のプランジャ４５２にＴ字形レバー４５３の一部を連結して構成される。レバー４５３はその中心が取付板３１に固着されたピン４５４で回動自在に支持される。レバー４５３の一端には、ロッド４５５の一端が係合される。ロッド４５５の他端は、開閉板４１の側壁に形成されたピン４１５と連結される。レバー４５３の短辺の他端はばね４５６で引っ張り付勢される。これによって、ソレノイド４５１が電気的に消勢されているとき、レバー４５３の下端がばね４５６で引張られて、長辺の先端を引き下した状態にすることにより、開閉板４１を開成させる。これとは逆に、ソレノイド４５１が付勢されると、レバー４５３の先端が上方向へ回動して、ロッド４５５を上方向へ引上げることにより、開閉板４１を前面へ開成させる。前記枠部材４２の裏面には、玉ガイド部材４６が設けられる。玉ガイド部材４６は、板状部材４６１を含み、入賞領域４３ｂに対応する板状部材４６１のやや下方に経路４６２を形成し、入賞領域４３ｃに対応する板状部材４６１のやや下方に径路４６３を形成し、特賞領域４３ａに対応する板状部材４６１に垂直方向に沿う経路４６４を形成して構成される。この経路４６４の下方には、前記特賞玉検出スイッチ４４が設けられる。特賞玉検出スイッチ４４の下方には、第３Ｂ図，第３Ｃ図および第４図に詳細に示すような特賞玉貯留機構４７が設けられる。特賞玉貯留機構４７は回動レバー４７１を含む。回動レバー４７１は、「へ」字状に形成され、その長辺が特賞玉検出スイッチ４４の下方に位置するように支点４７２で回動自在に支持される。回動レバー４７１は、一個の特賞玉のないとき、第３Ｃ図の実線で示すように、長辺の先端部分がストッパ壁４７３に当接した状態で特賞玉のあるのを待機している。そして、回動レバー４７１は、特賞玉が長辺を伝って短辺へ至ると、玉の重量によって短辺が押し下げられるので、時計方向へ回動する。回動レバー４７１に相対して、突出壁４７４が形成される。突出壁４７４の上端部分は、回動レバー４７１が回動したとき長辺の先端部分と係合してストッバの働きをする。回動レバー４７１の短辺の近傍には、ソレノイド４７５が設けられる。ソレノイド４７５は、いわゆるダブルアクションタイプのものであって、その付勢によってプランジャ４７６を回動レバー４７１側へ移動させるためのコイル（後述の第７図に示す４７５ａ）およびその逆方向へ移動させるコイル（後述の第７図に示す４７５ｂ）を含む。そして、ソレノイド４７５の各コイルの励磁状態は、特定遊技状態以外のときプランジャ４７６の左側端部と回動レバー４７１の短辺との間隔を１個の玉の直径よりも大きな間隔とし、特定遊技状態のとき１個の玉の直径よりも小さな間隔とするように選ばれる。したがって、回動レバー４７１の長辺の先端が突出壁４７４と係合する位置まで回動しかつプランジャ４７６が回動レバー４７１側へ突出した状態において、特賞玉が両者によって挟まれる位置で貯留されることになる。この状態における特賞玉の貯留位置の前面には、前記表示窓６が形成される。したがって、特定遊技状態において特賞領域４３ａへ入賞した特賞玉は、回動レバ一４７１とプランジャ４７６で挟まれる位置で貯留される。このため、遊技者は表示窓６を通して特賞玉を見ることができ、特賞領域４３ａへの入賞玉のあったことを確認できる利点がある。回動レバー４７１の下方の板状部材４６１には、径路４６５が形成される。径路４６５は、特定遊技状態において１個目の特賞玉があった後に、特賞領域４３ａへ入賞した玉を下方へ導く動きをする。」（４頁左下欄５行〜５頁右下欄１行）
　「第６図はこの発明の一実施例の遊技制御回路図である。構成において、遊技制御回路６０は、可変表示可能条件検出回路６１、回転ドラム駆動制御回路６２、表示駆動回路６３、特定遊技状態検出回路６４、繰り返し開成条件検出回路６５、所定価値付与状態検出回路６６、および駆動制御回路７０を含む。」（６頁左下欄７行〜１３行）
　「第７図は駆動制御回路７０および繰り返し開成条件検出回路６５の詳細な回路図である。この駆動制御回路７０は、オアゲート７１、タイマ７２〜７４、ドライバ７５、一定時間繰返し開閉駆動回路７６および特賞玉貯留放出駆動回路７７を含む。ここで、ドライバ７５は、オアゲート７１の出力期間中ソレノイド４５１を付勢することによって、可変入賞球装置４０を第１の状態に駆動させるものである。一定時間繰り返し開閉駆動回路７６は、可変入賞球装置を第１の状態にする一例として相対的に長い一定時間（たとえばｔ１＝３０秒）だけ連続的に入賞し易い状態にするものである。」（６頁右下欄１４行〜７頁左上欄６行）
　「玉が入賞領域４３ｂまたは４３ｃへ入賞すると、賞品玉放出機構が入賞玉に応じて所定数の賞品玉を放出する。」（８頁左下欄１０行〜１２行）
　「前述の状態において、打込玉が特賞領域４３ａへ入賞すると、特賞玉検出スイッチ４４がそれを検出してフリップフロップ６５１をセットさせる。特賞玉は特賞玉検出スイッチ４４で検出された後、回動レバー４７１の上面に沿って転動しながら回動レバー４７１を回動させる。このとき、回動レバー４７１の短辺の先端とプランジャ４７６の先端との間隔が玉の直径よりも小さくなっているので、特賞玉が表示窓６の裏面で貯留される。それ以後に特賞領域４３ａへ入った玉は、特賞玉検出スイッチ４４で検出された後経路４６５を介して下方へ落下される。この玉は通常の入賞玉と同様にして賞品玉の放出動作に利用される。そして、タイマ７６３がタイムアップする前に、少なくとも１個の玉が特賞領域４３ａへ入賞すると、以下のごとくして可変入賞球装置４０を繰り返して開成駆動する。すなわち、タイマ７６３がタイムアップすると、ドライバ７５がソレノイド４５１を消勢する。このため、開閉板４１が一旦閉成される。これと同時に、微分回路７６５がタイムアップ出力を微分し、その微分パルスを単安定マルチ７６６に与える。単安定マルチ７６６は一定時間ハイレベルを導出してアンドゲート６５２および遅延回路７６７に与える。アンドゲート６５２はフリップフロップ６５１の出力のあること（すなわち可変入賞球装置４０の開成期間中に少なくとも１個の特賞玉のあること）、およびフリップフロップ７６４の出力Ｑのあること（すなわち特定遊技状態であること）、ならびに単安定マルチ７６６の出力のあることに応答して、ハイレベルを導出する。アンドゲート６５２の出力がオアゲート７７３を介して単安定マルチ７７４に与えられる。このため、単安定マルチ７７４はドライバ７７５にコイル４７５ｂを付勢させる。応じて、プランジャ４７６が特賞玉を貯留できない状態となるように移動される。この結果、表示窓６の裏面に貯留されていた特賞玉が落下され、回動レバー４７１が復帰する。そののち、アンドゲート６５２の出力が遅延回路７６ａおよびオアゲート７６２を介してタイマ７６３に与えられるので、タイマ７６３は再び一定時間だけ可変入賞球装置４０を開成させる。また、単安定マルチ７６６の出力から一定時間遅れて、遅延回路７６７がフリップフロップ６５１をリセットさせる。以後同様にして、特定遊技状態後は特賞領域４３ａへの入賞玉がある限り、一定時間ｔ１ずつ繰り返して可変入賞球装置４０を開成駆動できる。」（９頁左下欄２０行〜１０頁右上欄６行）
　「特定遊技状態において特賞領域への入賞玉があることに応じて繰り返し開成条件になった場合は、そのことを遊技者に視認可能なように知らせているので、遊技者が繰り返し開成条件を確認でき、不信感を抱くことなく、しかも遊技者と係員との間でトラブルが生じるのを防止できるなどの特有の効果が奏される。」（１０頁右下欄９行〜１６行）
　
［甲第２号証］には、パチンコ機に関し次の事項が記載されている。
　「遊技盤の表面にガイドレ−ルで囲んだ遊技部を形成し、該遊技部内に、打球を受け入れない第１状態と打球を受け入れ易い第２状態とに変換可能な可動球受部材と、該可動球受部材が受け入れた打球を入賞とする一般入賞口並びに特別入賞口と、該特別入賞口に入賞する確率に変化を与える確率制御部材とを少なくとも備えた中央入賞装置と、打球が入賞すると、該打球を特定入賞検出器により検出して電気的制御装置に信号を送る特定入賞口と、を配設し、上記した特定入賞検出器から信号を受けた電気的制御装置により中央入賞装置の可動球受部材を第１状態から第２状態に変換し、打球が特別入賞口に入った打球を検出する特別入賞検出器からの信号により可動球受部材の状態を変換する特別遊技を行わせ、該特別遊技において確率制御部材を作動することにより特別遊技中における特別入賞口への入賞確率を制御するようにしたことを特徴とするパチンコ機。」（１頁左欄５行〜右欄４行）
　「中央入賞装置４は、遊技盤１の表面に取付ける取付基板の８のほぼ中央に開口部９を開設し、該開口部９の上方の表面に開口部９の幅よりも僅かに横長な鎧部１０突設し、該鎧部１０の下方には横長で棚板状の可動球受部材１１，１１を左右方向に移動自在に設け、該可動受部材１１，１１の下方の開口部９の縁には阻止壁１２を上向き略コ字状に突設し、取付基板８の裏側には開口部９に連通する凹室１３を設け、該凹室１３内の正面壁部に特別遊技選択表示器１４を設け、凹室１３の下部中央に特別入賞口１５を、該特別入賞口１５の左右に一般入賞口１６，１６を夫々前向に開設し、特別入賞口１５の左右には確率制御部材１７を回動自在に臨ませてなる。可動球受部材１１は、左右方向に下り傾斜する傾斜面を有する突部１８を一端に形成した横長棚板状の部材であり、背面から突設した連結部材（図示せず）の先端を凹室１３の裏側に設けてあるソレノイド等の第１駆動源に接続してある。左右の可動球受部材１１，１１は、常には第２図実線で示すように、開口部９の前方に相互に近づいて左側の可動球受部材１１の突部１８が鎧部１０の左側下端と阻止壁１２の左側上端との間の左球通過部１９に、右側の可動球受部材１１の突部１８が鎧部１０の右側下端と阻止壁１２の右側上端との間の右球通過部２０に夫々停止し、左右の球通過部１９，２０の有効高さを球径よりも小さくする。したがって、この状態では流下してきた打球が球通過部１９，２０を通過することができず、打球を特別入賞口１５や一般入賞口１６に入ることを阻止する第１状態となる。一方、第１駆動源の駆動により左右の可動球受部材１１，１１が夫々外側に移動すると、第２図点線で示すように、左側の可動球受部材１１の突部１８が左球通過部１９から外れて鎧部１０の左側に大きく突出するとともに、右側の可動球受部材１１の突部１８が右球通過部２０から外れて鎧部１０の右側に大きく突出する。したがって、この状態では流下してきた打球を可動球受部材１１，１１上に受け止めて球通過部１９，２０を通過させ、特別入賞口１５や一般入賞口１６に入賞させる第２状態となる。なお、本実施例における可動球受部材１１により受け止められた球は、球通過部１９，２０を通過した後、一旦凹室１３内に入ってから底面上を開口部９に向って転動し、特別入賞口１５又は一般入賞口１６に入賞するものと、可動球受部材１１の端部から直接特別入賞口１５又は一般入賞口１６に入賞するものとがある。確率制御部材１７は、特別入賞口１５の上方左右に支持軸２１，２１を回動自在に突設し、下端に装飾部２２を形成した縦部材２３の長さの途中を上記支持軸２１の先端に固定し、支持軸２１の上方に位置する縦部材２３の上端には球振分け部材２４を支持軸２１とほぼ平行に設け、支持軸２１の下方に位置する部分から後方に突設した駆動軸２５を取付基板８の裏側に配設してある略楕円形のカム２６にスプリング２７により圧接してなる。取付基板８の裏側に設けたモータ２８の作動によりカム２６を回転し、駆動軸２５の後端部分がカム２６の長径部分に圧接すると、第３図及び第４図実線で示すように、左右の球振分け部材２４，２４の間隔Ｌ１が最小となる。したがって、球が左右の球振分け部材２４，２４間を通る確率、即ち球が特別入賞口１５に入る確率が最小になる。そして、カム２６がほぼ９０度回転して駆動軸２５の後端部分がカム２６の短径部分に圧接すると、第４図点線で示すように、左右の球振分け部材２４，２４の間隔Ｌ２が最大となる。したがって、球が左右の球振分け部材２４，２４を通る確率、即ち球が特別入賞口１５に入る確率が最大となる。」（２頁左下欄１９行〜３頁左下欄１０行）
　「上記した風車状の確率制御部材１７は、前後方向にほぼ平行に配置した軸４６の先端に制御板４７を固定するとともに、該制御板４７の前端縁に円盤４８を固定してなり、一方の軸４６の後端にモータ４９を接続し、該軸４６の途中に設けたギア５０と他力の軸４６に設けたギア５１とを噛合してある。したがって、モータ４９を作動すると、左右の確率制御部材１７，１７が異なる方向に回転し、第１０図に示すように左右の制御板４７，４７が縦方向にほぼ平行に位置すると、制御板４７，４７の上端間隔ＶＬ１が区画部材４５，４５の軸とほぼ同じになるので、この範囲に流下した球を特別入賞口１５に入賞させ、更に矢印方向に回転すると、第１１図に示すように、左右の制御板４７，４７がハ状に位置するので、制御板４７，４７の上端間隔がＶＬ２となって上記間隔ＶＬ１よりも狭くなる。したがって、特別入賞口１５に入る確率が低下する。なお、制御板４７，４７の上端間隔ＶＬ２の外側に球が流下した場合、この球は左右いずれかの主一般入賞口４４に入賞する。そして、確率制御部材１７，１７が更に回転し、第１２図に示すように、左右の制御板４７，４７が逆ハ字状に位置すると、制御板４７，４７の上端間隔ＶＬ３に拡大されるので、特別入賞口１５に入賞する確率を高めることができる。なお、左右の制御板４７，４７の上端間隔が最小となったときに、この間隔が球径よりも大きくなるように設定すると、球が該間隔内をそのまま通過して特別入賞口１５に入賞し、又この最小間隔が球径よりも小さくなるように設定すると、左右の制御板４７の上端に載って一時保留された球だけが特別入賞口１５に入賞するようになる。この様に、本実施例に係る確率制御部材１７は、棚板４０の切欠部３９に設けたシャツタ４３が前進、後退することによって打球が凹室１３の底面上に落下し易くしたり、落下し難くすることと合わせて、確率制御部材１７の回転する制御板４７の位置により球が通過する範囲を拡大・縮小し、これにより球が特別入賞口１５に入る確率を調節することができる。なお、この確率制御部材１７は、常時回転するようにしてもよいが、例えば可動球受部材１１，１１が１０回開閉した後に回転し始める等所定の条件が成立したときに回転するようにしてもよい。」（６頁右上欄１７行〜右下欄２０行）
　
［甲第３号証］には、パチンコ遊技機において、大入賞口２の可動羽根１１ａ、１１ｂが第１ソレノイド１２によって開閉駆動され、またＶ入賞口１３の開閉蓋２０が第２ソレノイド２２によって開閉駆動されることが記載されている。
［甲第４号証］には、パチンコ遊技機において、変動入賞装置５の可動部材５２ａ、５２ｂが駆動源によって開閉駆動され、また特別入賞領域６１及び一般入賞領域６２への入口を閉塞可能な規制プレート７２ａ〜７２ｃがソレノイド７０ａ〜７０ｃにより開閉駆動されることが記載されている。
［甲第５号証］には、パチンコ機の変動入賞装置において、第１ソレノイド２６及び減速器付モータ３２が変動入賞装置６に固定されていることが記載されている。
［甲第６号証］には、弾球遊技機の可変入賞球装置において、ソレノイド１４ａ、１４ｂが可変入賞球装置２に固定されていることが記載されている。
［甲第７号証］には、パチンコ遊技機において、可動部材開閉装置２８５、２８５及び変更駆動装置５０が変動入賞装置１０に固定されていることが記載されている。
３．本件発明１について
（１）比較・対比、及び、相違点・一致点
　甲第１号証の記載からみて、甲第１号証には、特定遊技状態となったときに可変入賞球装置４０を所定の態様で開放し、その開放中に可変入賞球装置４０内に形成される入賞領域４３ｂ，４３ｃと特賞領域４３ａのうち特賞領域４３ａへの入賞玉があることに応じて繰り返し開成条件を成立させるパチンコ遊技機１０において、前記可変入賞球装置４０には、該可変入賞球装置４０を開放するためのソレノイド４５１と、該ソレノイド４５１とは別の単一のソレノイド４７５と、特定遊技状態となったときに可変入賞球装置４０に入賞した入賞玉が入賞領域４３ｂ，４３ｃが開放されたままの状態で特賞領域４３ａへ入賞することを許容し、かつ、特賞領域４３ａへ入賞した入賞玉のうちの最初の一個の特賞玉の重量により駆動され、該最初の一個の特賞玉を前記ソレノイド４７５との間で挟持することにより透明材料で形成された特賞状態表示手段としての表示窓６の裏面に貯留する一方で、前記最初の一個の特賞玉に続く他の特賞玉も特賞領域４３ａへ入賞することを許容する回動レバー４７１と、前記ソレノイド４７５を駆動する特賞玉貯留放出駆動回路７７を設けたパチンコ遊技機１０、が記載されていると認める。
　ここで、本件発明１と甲第１号証に記載の発明とを対比すると、甲第１号証に記載の発明の「特定遊技状態」「可変入賞球装置４０」「入賞領域４３ｂ，４３ｃ」「特賞領域４３ａ」「特賞領域４３ａへの入賞玉があることに応じて繰り返し開成条件を成立させる」「ソレノイド４５１」「ソレノイド４７５」「回動レバー４７１」「特賞玉貯留放出駆動回路７７」「パチンコ遊技機１０」が、本件発明１の「大当り遊技状態」「変動入賞装置」「通常入賞口」「継続入賞口」「継続入賞口に入賞玉が入賞したことに基づいて変動入賞装置の次回の開放が留保される継続権を成立させる」「変動入賞装置を開放するための駆動手段」「駆動手段とは別の単一の電気的駆動手段」「閉塞部材」「駆動制御手段」「パチンコ機」にそれぞれ相当する。
　ところで、甲第１号証に記載の発明における前記「回動レバー４７１」は、特定遊技状態（大当り遊技状態）となったときに可変入賞球装置４０（変動入賞装置）に入賞した入賞玉が入賞領域４３ｂ，４３ｃ（通常入賞口）が開放されたままの状態で特賞領域４３ａ（継続入賞口）へ入賞した最初の一個の特賞玉の重量により駆動されるようになっているものであり、該「回動レバー４７１」が、ソレノイド４７５（電気的駆動手段）によって駆動されるようになっているものではなく、また、前記「回動レバー４７１」は、特定遊技状態（大当り遊技状態）となったときに可変入賞球装置４０（変動入賞装置）に入賞した入賞玉が特賞領域４３ａ（継続入賞口）へ入賞することを閉塞により阻止するものではなく、特賞領域４３ａ（継続入賞口）を部分的に閉塞して一個の特賞玉を貯留しつつ、入賞玉の特賞領域４３ａ（継続入賞口）への入賞を許容するものであって、前記入賞玉が特賞領域４３ａ（継続入賞口）へ入賞することを阻止する第１の状態と阻止しない第２の状態とに変化するものでもないから、甲第１号証には、「電気的駆動手段によって駆動され且つ前記通常入賞口を開放したままの状態で前記継続入賞口への入賞玉の入賞を阻止する第１の状態と阻止しない第２の状態とに変化する閉塞部材」は記載されていない。
　したがって、甲第１号証の前記「回動レバー４７１」が、本件発明１の「通常入賞口を開放したままの状態で前記継続入賞口への入賞玉の入賞を阻止する第１の状態と阻止しない第２の状態とに変化する閉塞部材」に相当するものということはいえない。
　そうすると、本件発明１と甲第１号証に記載の発明とは、「大当り遊技状態となったときに変動入賞装置を所定の態様で開放し、その開放中に変動入賞装置内に形成される通常入賞口と継続入賞口のうち継続入賞口に入賞玉が入賞したことに基づいて変動入賞装置の次回の開放が留保される継続権を成立させるパチンコ機において、前記変動入賞装置には、該変動入賞装置を開放するための駆動手段と、該駆動手段とは別の単一の電気的駆動手段と、閉塞部材と、を設け、前記電気的駆動手段を駆動する駆動制御手段を設けたパチンコ機」の点で一致し、次の点で構成が相違する。
　［相違点１］：本件発明１の閉塞部材が、電気的駆動手段によって駆動され且つ前記通常入賞口を開放したままの状態で前記継続入賞口への入賞玉の入賞を阻止する第１の状態と阻止しない第２の状態とに変化し、前記変動入賞装置の開放後の継続入賞口への最初の入賞玉の入賞に基づいて前記第１の状態に駆動され、前記変動入賞装置の開放終了後に前記第２の状態に駆動されるようになっているのに対し、甲第１号証に記載の発明の回動レバー４７１は、特定遊技状態となったときに可変入賞球装置４０に入賞した入賞玉が入賞領域４３ｂ，４３ｃが開放されたままの状態で特賞領域４３ａへ入賞することを許容し、かつ、特賞領域４３ａへ入賞した入賞玉のうちの最初の一個の特賞玉の重量により駆動され、該最初の一個の特賞玉を前記ソレノイド４７５との間で挟持することにより透明材料で形成された特賞状態表示手段としての表示窓６の裏面に貯留する一方で、前記最初の一個の特賞玉に続く他の特賞玉も特賞領域４３ａへ入賞することを許容するようになっていて、本件発明１の前記「電気的駆動手段によって駆動され且つ前記通常入賞口を開放したままの状態で前記継続入賞口への入賞玉の入賞を阻止する第１の状態と阻止しない第２の状態とに変化し、前記変動入賞装置の開放後の継続入賞口への最初の入賞玉の入賞に基づいて前記第１の状態に駆動され、前記変動入賞装置の開放終了後に前記第２の状態に駆動されるようになっている」構成を具備しない点。
　
（２）相違点についての判断　
　ここで、上記［相違点１］について検討する。
　申立人の提示した甲第２号証には、打球が特別入賞口１５に入ったことを検出する特別入賞検出器３５からの信号により可動球受部材１１、１１の状態を変換する特別遊技を行わせ、該特別遊技において、特別入賞口１５に入賞する確率に変化を与える確率制御部材１７、１７を作動することにより特別遊技中における特別入賞口１５への入賞確率を制御するようにしたパチンコ機、が記載されている。
　しかしながら、上記「確率制御部材１７、１７」に関し、甲第２号証には「ＭＯＤＥ−１の特別遊技は、・・・或るサイクルにおいて予め設定した状態（本実施例では一般入賞口１６に球が５個入るか又は当該サイクルが開始されてから１０秒間が経過したとき）になると、モータ２８がカム２６を回転して左右の確率制御部材１７、１７の間隔をＬ１からＬ２の間で変化させることにより特別入賞口１５への入賞確率を高めるとともに、一般入賞口１６への入賞確率を低める。」（４頁左下欄１４行〜４頁右下欄１６行）及び「球が特別入賞口１５に入ってサイクルの更新が行われると、電気的制御装置がモータ２８の作動を停止して左右の確率制御部材１７、１７を間隔Ｌ１の状態で停止する。」（４頁右下欄１９行〜５頁左上欄３行）と記載されていることからみて、甲第２号証の前記「確率制御部材１７、１７」は、可動球受部材１１（変動入賞装置）の開放後の特別入賞口１５（継続入賞口）への最初の入賞玉の入賞に基づいて特別入賞口１５（継続入賞口）への入賞を阻止する状態に駆動されたり、或いは前記可動球受部材１１（変動入賞装置）の開放終了後に特別入賞口１５（継続入賞口）への入賞を阻止しない状態に駆動されたりするようになっているものではないから、本件発明１の「閉塞部材」に相当するものと認めることはできない。
　したがって、本件発明１の前記相違点１の「電気的駆動手段によって駆動され且つ前記通常入賞口を開放したままの状態で前記継続入賞口への入賞玉の入賞を阻止する第１の状態と阻止しない第２の状態とに変化し、前記変動入賞装置の開放後の継続入賞口への最初の入賞玉の入賞に基づいて前記第１の状態に駆動され、前記変動入賞装置の開放終了後に前記第２の状態に駆動されるようになっている」構成が甲第２号証に記載されているということはできない。
　同じく、申立人の提示した甲第３号証ないし甲第７号証には、「パチンコ遊技機」「パチンコ遊技機」「パチンコ機の変動入賞装置」「弾球遊技機の可変入賞球装置」「パチンコ遊技機」の各発明がそれぞれ記載されている。しかしながら、前記各発明における「開閉蓋２０」「規制プレート７２ａ、７２ｂ、７２ｃ；規制片７２ｂ’、７２ｃ’」「入賞率制御部材２４」「入賞玉滞留機構６４」「入賞領域変更部４１」の各部材が、少なくとも「変動入賞装置の開放後の継続入賞口への最初の入賞玉の入賞に基づいて前記第１の状態に駆動され、前記変動入賞装置の開放終了後に前記第２の状態に駆動されるようになっている」ことについては記載がなく、それらの前記各部材がそれぞれの種々の駆動手段により変化することが記載されているだけであるから、前記甲第３号証ないし甲第７号証は、いずれも本件発明１の構成の一部が個々に記載されているに過ぎないものであり、甲第３号証ないし甲第７号証にも、本件発明１の上記「電気的駆動手段によって駆動され且つ前記通常入賞口を開放したままの状態で前記継続入賞口への入賞玉の入賞を阻止する第１の状態と阻止しない第２の状態とに変化し、前記変動入賞装置の開放後の継続入賞口への最初の入賞玉の入賞に基づいて前記第１の状態に駆動され、前記変動入賞装置の開放終了後に前記第２の状態に駆動されるようになっている閉塞部材」が記載されているということができない。
　したがって、甲第１号証ないし甲第７号証のいずれにも、本件発明１の構成である前記相違点１の「電気的駆動手段によって駆動され且つ前記通常入賞口を開放したままの状態で前記継続入賞口への入賞玉の入賞を阻止する第１の状態と阻止しない第２の状態とに変化し、前記変動入賞装置の開放後の継続入賞口への最初の入賞玉の入賞に基づいて前記第１の状態に駆動され、前記変動入賞装置の開放終了後に前記第２の状態に駆動されるようになっている閉塞部材」が記載されているということができない。
　以上のとおりであるから、甲第１号証に記載の発明に上記甲第２号証ないし甲第７号証に記載の発明を適用しても、本件発明１のような構成を得ることができない。そして、本件発明１は、その特許請求の範囲の請求項１に記載された発明の構成により、特許明細書に記載の効果を奏するものである。
　したがって、本件発明１は上記甲第１号証ないし甲第７号証に記載の発明に基いて当業者が容易に発明をすることができたもの、とすることはできない。
４．本件発明２について
　本件発明２の特定事項は、請求項２に記載されたとおりの「前記駆動手段及び電気的駆動手段は、前記変動入賞装置に固定されていることを特徴とする請求項１記載のパチンコ機。」であって、本件発明１の特定事項をさらに減縮限定したものであり、前記「３．本件発明１について」の項に前述したとおり、本件発明１は当業者が容易に発明をすることができたものとすることができないから、本件発明１についての前述した理由と同じ理由により、本件発明２についても、当業者が容易に発明をすることができたものとすることはできない。
　以上のとおりであるから、甲第１号証に記載の発明に上記甲第２号証ないし甲第７号証に記載の発明を適用しても、本件発明２のような構成を得ることができない。そして、本件発明２は、その特許請求の範囲の請求項２に記載された発明の構成により、特許明細書に記載の効果を奏するものである。
　したがって、本件発明２についても、上記甲第１号証ないし甲第７号証に記載の発明に基いて当業者が容易に発明をすることができたもの、とすることはできない。
　
５．むすび
　以上のとおりであるから、特許異議の申立ての理由によっては本件発明１及び本件発明２についての特許を取り消すことができない。
　また、他に本件発明１及び本件発明２についての特許を取り消すべき理由を発見しない。
　したがって、本件発明１及び本願発明２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年１０月１７日（２０００．１０．１７）